(57)【要約】【課題】低コストでスキンケア剤を新鮮な状態で長期間保存することのできるスキンケアキット、及びスキンケアキットの保存方法を提供すること。【解決手段】スキンケアキット２００は、包材１０と、包材１０の内部に収容される乾燥剤３０とを備える。この密閉容器１００には、スキンケア剤原末の水溶液を吸収するマスク材が収容されている。また、そのマスク材を密閉容器１００から取りだすための把持具や密閉容器１００に残ったスキンケア剤原末の水溶液を吸い取るスポイトが、密閉容器１００とともに収容されていてもよい。【選択図】図２
2015196533.tif 000002
【特許請求の範囲】
【請求項１】
スキンケアキットであって、
１種または複数種のスキンケア剤原末を入れた密閉容器と、
前記密閉容器を収容したバリア性の高い包材とを備える
ことを特徴とするスキンケアキット。
【請求項２】
前記バリア性は、水蒸気バリア性、ガスバリア性、遮光性のうち少なくとも何れか１つを含む
請求項１記載のスキンケアキット。
【請求項３】
前記密閉容器には、さらに、スキンケア剤原末の水溶液を吸収するマスク材が収容されている
請求項１または請求項２記載のスキンケアキット。
【請求項４】
前記マスク材を前記密閉容器から取りだすための把持具や前記密閉容器に残った前記スキンケア剤原末の水溶液を吸い取るスポイトが、前記密閉容器とともに収容されている
請求項３記載のスキンケアキット。
【請求項５】
前記スキンケア剤原末は、ビタミンＣ誘導体原末を含む
請求項１から請求項４の何れか１項に記載のスキンケアキット。
【請求項６】
前記密閉容器が、樹脂製の容器である
請求項１から請求項５の何れか１項に記載のスキンケアキット。
【請求項７】
スキンケアキットの保存方法であって、
１種または複数種のスキンケア剤原末を容器に入れて密閉し、
前記密閉された容器をバリア性の高い包材で収容する
ことを特徴とするスキンケアキットの保存方法。
【請求項８】
前記容器に、前記スキンケア剤原末と共に、前記スキンケア剤原末の水溶液を吸収するマスク材を入れて密閉する
請求項７記載のスキンケアキットの保存方法。
【発明の詳細な説明】
【技術分野】
【０００１】
本発明は、スキンケアキット、及びスキンケアキットの保存方法に関する。
【背景技術】
【０００２】
近年、スキンケアに関する人々の関心は益々高まっており、各種の高品質なスキンケア用品が開発されている。高品質なスキンケア剤は、原材料が優れていることのほか、防腐剤や香料などの添加物を排除することで肌への負担を減らしたものも多い。防腐剤などを加えずに長期保存を可能にするために、１回分ずつ個包装された使い切りタイプのものも市販されている。
【０００３】
例えば、顔の保湿や美容を目的としたローションマスクなどと呼ばれる美容マスクは、パルプやコットンなどを原料とするシート状の顔型マスクに、化粧水または美容液を染み込ませて、顔を覆うようにして使用するものである。このローションマスクの流通の形態としては、化粧水または美容液を染み込ませた状態で密封した形態や、マスクと、化粧水または美容液とを別々に包装し、ユーザが、使用のときに化粧水または美容液をマスクに染み込ませて使用する形態が一般的である（例えば、特許文献１，２参照）。
【０００４】
このような予め化粧水または美容液をマスクに染み込ませたものでは、保存が長期にわたると美容液の劣化、変質、揮発などにより、十分な品質を保てないという問題があった。また、製造工程において未滅菌のマスクを使用するため、品質維持のために美容液の防腐力を通常より高く設定する必要があった。
【０００５】
出願人は、上述した問題を解決するために、１種または複数種のスキンケア剤原末を入れた密閉容器を包材にて真空パックしたスキンケアキット及びスキンケアキットの保存方法を提案している（特許文献３参照）。
【先行技術文献】
【特許文献】
【０００６】
【特許文献１】特開２０１１−１３６０７３号公報
【特許文献２】特開２０１１−１４８７２６号公報
【特許文献３】特開２０１２−０００２９５号公報
【発明の概要】
【発明が解決しようとする課題】
【０００７】
上記スキンケアキット及びスキンケアキットの保存方法においては、スキンケア剤原末が空気に触れないように密閉容器を包材にて真空パックする構成としているため、スキンケア剤を新鮮な状態で長期間保存することができる。しかしながら、包材を真空パックする工程等により高コストとなるため、低コストでスキンケア剤を新鮮な状態で長期間保存できるものが求められていた。
【０００８】
本発明は、このような状況に鑑みてなされたものであり、低コストでスキンケア剤を新鮮な状態で長期間保存することのできるスキンケアキット、及びスキンケアキットの保存方法を提供することを目的とする。
【課題を解決するための手段】
【０００９】
本発明のスキンケアキットは、１種または複数種のスキンケア剤原末を入れた密閉容器と、前記密閉容器を収容したバリア性の高い包材とを備えることを特徴とする。
【００１０】
上記の構成としたことで、低コストでスキンケア剤を新鮮な状態で長期間保存することのできるスキンケアキット、及びスキンケアキットの保存方法を提供することができるようになる。
【００１１】
また、前記バリア性は、水蒸気バリア性、ガスバリア性、遮光性のうち少なくとも何れか１つを含む構成とされていてもよい。
【００１２】
また、前記密閉容器には、さらに、スキンケア剤原末の水溶液を吸収するマスク材が収容されている構成とされていてもよい。
【００１３】
また、前記マスク材を前記密閉容器から取りだすための把持具や前記密閉容器に残った前記スキンケア剤原末の水溶液を吸い取るスポイトが、前記密閉容器とともに収容されている構成とされていてもよい。
【００１４】
また、前記スキンケア剤原末は、ビタミンＣ誘導体原末を含む構成とされていてもよい。
【００１５】
また、本発明のスキンケアキットの保存方法は、スキンケアキットの保存方法であって、１種または複数種のスキンケア剤原末を容器に入れて密閉し、前記密閉された容器をバリア性の高い包材で収容することを特徴とする。
【００１６】
また、前記容器に、前記スキンケア剤原末と共に、前記スキンケア剤原末の水溶液を吸収するマスク材を入れて密閉する構成とされていてもよい。
【発明の効果】
【００１７】
本発明によれば、スキンケア剤を新鮮な状態で長期間保存することのできるスキンケアキット、及びスキンケアキットの保存方法を、コストを抑えて提供することができるようになる。
【図面の簡単な説明】
【００１８】
【図１】本発明のスキンケアキットの概略図である。
【図２】本発明のスキンケアキットの部分透視図である。
【図３】密閉容器とその内容物を示す部分破断斜視図である。
【図４】密閉容器の構成を示す部分断面斜視図である。
【図５】密閉容器に注水する様子を示す斜視図である。
【図６】密閉容器内のマスク材を取りだす様子を示す斜視図である。
【００１９】
本発明のスキンケアキットは、１種または複数種のスキンケア剤原末を入れた密閉容器と、密閉容器を収容したバリア性の高い包材とを必須の構成とし、この要件を具備するものであれば他の要件について限定されることはない。
【００２０】
以下、本発明のスキンケアキットについて、図面を参照して詳細に説明する。
図１は、本発明の一実施形態であるスキンケアキット２００の外観図である。
また、図２は、図１に示したスキンケアキット２００の部分透視図である。
図１および図２に示すように、本発明のスキンケアキット２００は、密閉容器１００と、乾燥剤３０と、密閉容器１００及び乾燥剤３０を収容した包材１０とを備えている。
【００２１】
包材１０は、スキンケア剤原末の品質を劣化させる要因である水や空気を透過しない機能、すなわち水蒸気バリア性、ガスバリア性を有する材料からなることが好ましく、スキンケア剤原末の安定性や吸湿性などに応じ、従来公知の包材に用いられる材料を適宜選択して用いることができる。例えば、アルミニウム（Ａｌ）や、熱融着性を有する樹脂フィルム、例えば、ポリエチレン（ＰＥ）やポリプロピレン（ＰＰ）などのポリオレフィン系や、ポリエチレンテレフタレート（ＰＥＴ）などのポリエステル、ポリアミド（ＰＡ）、エチレン―ビニルアルコール共重合樹脂（ＥＶＯＨ）やナイロン（Ｎｙ）を単層あるいは多層として複数、適宜選択して使用可能である。
【００２２】
さらに、光がスキンケア剤原末の品質を劣化させる要因となる場合があり、スキンケア剤原末によっては、包材１０は、水蒸気バリア性、ガスバリア性の他、光を透過しない遮光性を具備していることが好ましい。遮光性を有する材質としては、例えば、アルミニウム（Ａｌ）などが挙げられる。
【００２３】
遮光性はもちろん、より高い水蒸気バリア性、ガスバリア性を考えた場合には、アルミニウム（Ａｌ）は、例えば、アルミ蒸着フィルムや酸化アルミ蒸着フィルムなどの蒸着したものより、蒸着していないアルミ箔などを単層あるいは多層として、前述した樹脂フィルムやナイロン（Ｎｙ）と共に層状に構成する方が好ましい。
【００２４】
ここで、遮光性、水蒸気バリア性、およびガスバリア性の高い包材としては、例えば、明和産商株式会社製の製品「ＭＡＬ−１０１６Ｓ」が好ましい。当該商品は、ＰＥＴ（ポリエステル）１２／ドライ／ＡＬ（アルミ箔）７／ＳＰＥ（ポリエチレン（ポリサンドラミネート））１５／ＬＬＤ（リニア低密度ポリエチレン）８０の層から成る包材である。また、遮光性、水蒸気バリア性、およびガスバリア性の高い包材は前述した商品に限定されることはない。例えば、明和産商株式会社製の製品「ＡＬＨ−１２１７Ｈ」、カウパック株式会社製の製品「ＮＡＣＦ−ＳＡ１２２０」，「ＮＡＣＦ−ＴＡ０２００」など他の製品を用いてもよい。ここで、「ＡＬＨ−１２１７Ｈ」は、ＰＥＴ（ポリエステル）１２／ＳＰＥ（ポリエチレン（ポリサンドラミネート））１５／ＡＬ（アルミニウム箔）７／ＳＰＥ（ポリエチレン（ポリサンドラミネート））２０／ＬＬＤ（リニア低密度ポリエチレン）４０の層から成る包材である。また、「ＮＡＣＦ−ＳＡ１２２０」および「ＮＡＣＦ−ＴＡ０２００」は、ＰＥＴ（ポリエステル）１２μ／ドライ／ＯＮＹ（ナイロン）１５μ／ＡＬ（アルミニウム箔）９μ／ドライ／ＣＰＰ（ポリプロピレン（無延伸））６０μの層から成る材質である。
【００２５】
包材１０は、その四辺（１１）が閉じられた袋状になっており、その内部に密閉容器１００が収容されている。また、密閉容器１００は、容器本体１と蓋２とを有している。また、内部にセットされた密閉容器の取り出しを容易にするために、包材１０の一部には、開封用の切り込み口Ｘ１，Ｘ２が形成されていることが好ましい。なお、切り込み口は１つだけ形成されてもよい。
【００２６】
乾燥剤３０は、包材１０の内部に残存する空気などが含む水分を吸収し、一定の湿度を保持するもので、従来公知のシリカゲル、アロフェン、ゼオライト、クレイなど吸湿しても化学的に安定な物性を示すものが用いられことが好ましい。なお、乾燥剤３０は、粉体の小包装体、錠剤、シート状など種々の形態を選択可能である。なお、乾燥剤３０の代わりに、除湿剤などにより水分を除去する構成としてもよい。また、空気などが含む水分の他、酸素など包材１０の内部に残存しスキンケア剤原末に影響を及ぼす因子を除去するために、脱酸素剤などを入れてもよい。その他、窒素などによって包材１０の内部に封入された気体と置換させることにより、水分や酸素を除去する構成としてもよい。
【００２７】
また、上記構成の他に、包材１０の内部の気体を吸引し、真空パックとする構成としてもよい。内部にセットされた密閉容器１００を真空パックする場合、その方法についても特に限定はなく、従来公知の真空パック方法を適宜選択して用いることができる。例えば、包材１０内に密閉容器１００をセットした後に、真空引き機能を有するヒートシール装置などを用いて、包材１０内を真空引きしながら、包材１０の開口された一辺をヒートシールすることで、密閉容器１００を包材１０で真空パックすることができる。また、密閉容器１００を包材にて真空パックした後に、さらにバリア性の高い包材で収容する構成としてもよい。この場合、密閉容器１００を入れて真空パックする包材は、必ずしもバリア性の高いものに限定されない。
なお、上述したそれぞれの保存方法を組み合わせて用いてもよい。
【００２８】
図３は、密閉容器とその内容物を示す部分破断斜視図である。図３に示すように密閉容器１００の内部には、１種又は複数種のスキンケア剤原末４が収容されている。図３に示す密閉容器１００内にはマスク材３が収容されているが、マスク材３は、必ずしも密閉容器内１００に収容されている必要はない。しかしながら、密閉容器１００の内部にスキンケア剤原末４とともに、マスク材３を収容した場合には、密閉容器１００を開封し、密閉容器１００内に水を注水するだけで直ちにスキンケア剤が吸収されたマスク材を使用することができる点で好ましい。
【００２９】
マスク材３は、例えば、スキンケアの分野で用いられるコットンやパルプやレーヨンなどを原料とするものであり乾燥状態で収容される。なお、マスク材３は必ずしも圧縮された状態で収容されている必要はないが、スキンケア剤原末４を水に溶解させることで生成されるスキンケア剤の吸収性を考慮すると、圧縮された状態であることが好ましい。また、圧縮されたマスク材３の形態についても特に限定はないが、例えば、図３に示すようにコイン型の形態などとすることができる。
【００３０】
スキンケア剤原末４は、水に溶解可能な材料からなり、スキンケア剤原末４を水に溶解した溶解液がスキンケア剤となる。スキンケア剤原末４の材料について特に限定はなく、スキンケアの分野で従来公知の材料を適宜選択して用いることができる。例えば、生体内で酵素反応によりビタミンＣとなるビタミンＣ誘導体などのスキンケア剤原末を用いることができる。ビタミンＣ誘導体としては、不安定なリン酸エステル型ビタミンC誘導体（リン酸Ｌ−アスコルビルナトリウムやリン酸Ｌ−アスコルビルマグネシウム）が挙げられる。特にリン酸エステル型ビタミンC誘導体にパルミチン酸やイソステアリン酸などの脂肪酸を付加したスキンケア剤、たとえばパルミチン酸アスコルビルリン酸3Naは、皮膚浸透性にたいへん優れた両親媒性のビタミンC誘導体であるが、水や酸素に触れると、非常に不安定な動態を示し、活性が低下することが最大の欠点である。しかし、本発明を用いることで、常に加水分解、酸化されていない作り立ての溶液を得ることで最大現のスキンケア効果を発現させることができるため、本発明に最適なスキンケア剤原末４の例として挙げることができる。
【００３１】
また、本例のスキンケア剤原末４は、水に溶解可能な形態であればよく、粉末、顆粒、散剤などに例示されるあらゆる形態が含まれ、スキンケア剤原末４の形態について限定されるものではない。
【００３２】
スキンケア剤原末４の密閉容器１００への収容量についても特に限定はなく、密閉容器の大きさや、スキンケア剤の所望する濃度などに応じて適宜設定することができる。
【００３３】
密閉容器１００は、樹脂製容器（例えば、プラスチック容器）であり、容器本体１と蓋２とは、接続部５で一体的に接続されて、密閉状態を保っている。接続部材５は、本発明における任意の構成である。
【００３４】
密閉容器１００は、開封前の密閉を保ち、かつ容易に開封できること、また、容器の扱いが容易であることから、プラスチックなどの樹脂製の容器を好ましく用いることができる。なお、樹脂製の容器は、長時間の間にはわずかに水分や空気が透過してしまい、スキンケア剤原末４が劣化してしまう虞が生ずる。しかしながら、本発明のスキンケアキット２００は、密閉容器１００を包材１０でさらに密閉しているので、スキンケア剤原末４の密閉状態をさらに強力に保つことができ、密閉容器の材料にかかわらず、密閉容器内に入れられたスキンケア剤原末４を長期にわたって安定的に保存することができる。また密閉容器内に残った酸素あるいは水蒸気がスキンケア剤原末４に影響する虞があるときには、さらに脱酸素剤、乾燥剤の一方または両方を同封することで、より安定性を高めることができる。その際の脱酸素剤、乾燥剤の収納は密閉容器１００を構成する樹脂に依存し、必ずしも密閉容器１００内に収納されている必要はなく、密閉容器１００と共に、脱酸素剤、乾燥剤を密閉容器に近接させた状態で包材１０にて真空パックしてもよい。
【００３５】
図４は、密閉容器の開封状態を示す斜視図である。図４に示すように、容器本体１の内面の開口付近には、注水量の目安となる水位線６が設けられていることが好ましい。水位線６を設けることで、必要な水量を容易に認識することができる。なお、水位線６は、スキンケア剤原末４を完全に溶解可能な量であって、適切な濃度のスキンケア剤となる水位位置に設けられる。また、スキンケア剤の濃度をユーザが目的に応じて調節できるように、容器本体１の内面に、複数の水位線６を設けることもできる。なお、図４では、マスク材３およびスキンケア剤原末４は省略している。また、水溶液の濃度を厳密に規定する必要がある場合、あるいは、もともと粉末原料ではない形態のスキンケア剤も使用したい場合などには、水位線を設けずに、一定量の精製水や予め他の原料を溶解させた化粧水を溶媒としてスキンケアキット２００に別途容器に入れて添付してもよい。ただし、本容器は特に水蒸気バリア性の優れたものでなければならないため、スキンケアキット２００の内部ではなく、スキンケアキット２００の外部に添付することが望ましい。
【００３６】
次に、本発明のスキンケアキットの保存方法の例について説明する。本例のスキンケアキットの保存方法は、１種または複数種のスキンケア剤原末４を容器に入れて密閉し、スキンケア剤原末４が密閉された密閉容器１００を包材１０で収容する点に特徴を有する。このようなスキンケアキットの保存方法によれば、スキンケア剤原末４の特に酸化や吸湿による加水分解、光による劣化を防止し、使用直前まで鮮度を保った状態で保存することが可能となる。なお、スキンケア剤原末４、密閉容器１００、包材１０は、上記で説明した材料を適宜選択して用いることができ、ここでの説明は省略する。
【００３７】
特に、本例のスキンケアキットの保存方法は、容器に、スキンケア剤原末４とともに、スキンケア剤原末４の水溶液を吸収するマスク材３を入れて密閉し、この密閉容器１００を包材１０で密閉することが好ましい。
【００３８】
この方法により保存されたスキンケアキットによれば、スキンケア剤原末４の劣化を防ぎ、使用直前まで鮮度を保った状態で保存することが可能となるほか、ユーザが使用する際には、密閉容器を開封し、水を注水するだけで、マスク剤にスキンケア剤を吸収させて直ちに使用することができる。
【００３９】
次に、本発明のスキンケアキット、及びスキンケアキットの保存方法により保存されたスキンケアキットの使用の一例について説明する。
【００４０】
ユーザがスキンケアキット２００を使用するときは、包材１０を開封して密閉容器１００を取り出し、その接続部５を取り除いて蓋２を開く。続いて、容器本体１に入ったマスク材３およびスキンケア剤原末４の上から、図５に示すように水２０を注ぎ、図４の水位線６まで水２０を満たす。なお、本実施形態では、水２０には、常温の清潔な水を用いるのが好ましく、例えば、精製水またはミネラルウォーターなどを使用することができる。
【００４１】
水位線６まで水２０を注いだら、再び蓋２を容器本体１に嵌めて、蓋２と容器本体１とを押さえ、所定の時間（例えば、３０秒〜６０秒程度）揺動させる。これにより、スキンケア剤原末４が水２０に溶解し、その水溶液（スキンケア剤）がマスク材３に吸収される。マスク材３は、スキンケア剤原末４の水溶液であるスキンケア剤を吸収することで膨張し、容器本体１の水位線６の付近まで膨れ上がる。
【００４２】
ユーザは、図６に示すように、例えばピンセットなどの把持具４０を用いて容器本体１の内部から湿潤したマスク材３ａを取り出し、マスク材３ａを広げて顔を覆うようにして肌に密着させて使用する。なお、容器本体１の底にスキンケア剤原末４が溶けきらずに残った場合は、マスク材３ａを取り出した後に再び蓋２をして、密閉容器１００を振ってスキンケア剤原末４を再度水に溶解させ、追加のスキンケア剤として用いることができる。もし、水溶液（スキンケア剤）がマスク材３aに吸収されず容器内に水溶液（スキンケア剤）が残った場合、適宜スポイトなどを用いて被覆したマスクの水溶液（スキンケア剤）が乾いてきた部位や特に集中してケアしたい部位に足すことができる。なお、図示はしないが、専用のピンセットやスポイトは密閉容器１００と共に包材１０で収容してもよい。
【００４３】
このように、スキンケアキット２００は、スキンケア剤原末４を新鮮なまま密閉容器１００に密閉し、さらに、密閉容器１００ごとバリア性の高い包材１０で収容しているため、スキンケア剤原末４の劣化を防ぎ、長期間品質を維持することができ、開封の直前まで新鮮な状態を保つことができる。さらに、前述のビタミンC誘導体などをスキンケア原末４として利用する場合には、特に品質維持が難しい原料の品質を落とさず、低コストでユーザに提供するのに最適である。そして、使用の直前に水を加えることで、いつでも作りたてのスキンケア剤を使用することができる。
【００４４】
また、本発明のスキンケアキット２００は、スキンケア剤原末４とマスク材３とが入った容器本体１に水２０を注ぎ、密閉容器１００を振るだけで、スキンケア剤が吸収されたマスク材３ａが出来上がるので、使用方法が簡単である。
【００４５】
以上、本発明のスキンケアキット及びスキンケアキットの保存方法について詳細に説明したが、本発明は上記各実施形態に限定されず、本発明の趣旨を逸脱しない範囲において種々の変更が可能である。例えば、上記では、顔に使用するローションマスクを例に説明したが、本発明はこれには限定されず、保湿剤、日焼け後の手入れなどに用いる消炎剤、肌荒れを改善するスキンケア剤などにも適用できる。スキンケア剤原末の状態で保存するのが好ましい薬剤にも適用可能である。また、その用途によって、マスク材の形状は適宜変更することができる。
【産業上の利用可能性】
【００４６】
低コストでスキンケア剤を新鮮な状態で長期間保存することのできるスキンケアキット、及びスキンケアキットの保存方法を提供するのに有用である。
【符号の説明】
【００４７】
１                容器本体
２                蓋
３，３ａ          マスク材
４                スキンケア剤原末
５                接続部
６                水位線
１０              包材
１１              ヒートシール部
２０              水
３０              乾燥剤
４０              把持具
１００            密閉容器
２００            スキンケアキット
Ｘ１，Ｘ２        切り込み口
【図２】
2015196533.tif 000003
【図３】
2015196533.tif 000004
【図４】
2015196533.tif 000005
【図５】
2015196533.tif 000006
【図６】
2015196533.tif 000007
【図１】
2015196533.tif 000008